(57)【要約】【課題】スタンバイ確認用の映像スーパ装置を必要とせずに、映像映像再生中においてもスタンバイしている素材を確認する映像再生機及び送出システムを実現し、スタンバイ状況確認の容易性を向上する。【解決手段】放送送出システムの映像再生機において、映像再生中において待機している素材映像を出力し、映像処理にて前記素材映像を重畳することと、待機している素材映像を選択・指定する。また、ファイリング・プレビュー時に素材を代表する画面や搬入素材に含まれている素材のメタデータを表示したクレジット画像をスタンバイ確認画像として予め指定し、スポンサー名、素材名、営放システムとやり取りしたメモデータ、ＣＭ放送枠ＩＤのスーパ表示項目を指定する。【選択図】図１
2009055255.tif 000002
【特許請求の範囲】
【請求項１】
映像再生機において、映像再生中において待機している素材映像を出力し、
映像処理にて前記素材映像を重畳することと、
待機している素材映像を選択・指定することとの
少なくとも一方を行うことを特徴とする再生機能。
【発明の詳細な説明】
【技術分野】
【０００１】
送出システムの映像再生機に関するものである。
【背景技術】
【０００２】
放送局内の放送用システムは、主に営放、送出制御装置、送出システムで構成される。営放は放送局の営業・編成・放送までを一貫して管理するコンピュータシステムであり、送出制御装置はコンピュータによる自動放送システムである。送出システムは、映像再生機器を用いてテレビ番組やＣＭ（広告）、提供などの放送用素材の管理・送出を行う。
【０００３】
放送時、放送中の映像を含む再生機器が出力する映像は、マスタシステムやサブシステムのモニタリング設備で監視できるようになっており、放送運行者が放送（オンエア）映像とともに次に素材を再生する機器の待機（スタンバイ）状況を再生開始位置の静止画像にて常時監視している。
【０００４】
送出バンクなどの送出システムを設備する場合も、上記のモニタリング設備へ映像を出力し、放送運行者が再生状況、スタンバイ状況を監視しており、ニュースやＣＭなど、一つの機番から連続的に素材を再生する場合にも、再生中の映像だけでなく、次に再生する素材が正しくスタンバイされていることを確認するため、スタンバイ中の静止画像を出力するように求められることが多いが、静止画（テロップ）装置ではそれが実現されているものの、現状の映像（静止画に対し動画）再生機器では、再生中の映像とLineスタンバイしている映像のみを確認可能であり、再生中に裏でスタンバイしている素材のスタンバイ映像を確認することは不可能であり、複数の再生機番を設備して交互に再生を行うことで再生中の映像とスタンバイ中の映像を監視可能とし、スタンバイ映像確認時に素材情報を重畳（スーパ）するための映像スーパ装置で素材コード等の文字情報を付加し、モニタリング設備へ再生映像とスタンバイ確認映像を出力している。
【０００５】
収録時に自動再生させ、自動的に映像・音声の評価を行う送出システムもある（特許文献１参照）。
【特許文献１】特開２００６−１５７７４３
【発明の開示】
【発明が解決しようとする課題】
【０００６】
本発明は、スタンバイ確認用の基板を必要とせずに、動画映像再生中においてもスタンバイしている素材を確認する動画再生機及び送出システムを実現し、スタンバイ状況確認の容易性を向上することを目的とする。
【課題を解決するための手段】
【０００７】
本発明は、上記の目的を達成するために、映像再生機において、映像再生中において待機している素材映像を出力し、映像処理にて前記素材映像を重畳することと、待機している素材映像を選択・指定することとの少なくとも一方を行うことを特徴とする再生機能である。
【０００８】
また、ファイリング・プレビュー時に素材を代表する画面や搬入素材に含まれている素材のメタデータを表示したクレジット画像をスタンバイ確認画像として予め指定しておき、再生スタンバイ時に指定したスタンバイ確認画像を表示させる再生機能である。
【０００９】
さらに、ファイリング・プレビュー時に、スポンサー名、素材名、営放システムとやり取りしたメモデータ、ＣＭ放送枠ＩＤの少なくとも一つのスーパ表示項目を指定しておき、再生スタンバイ時に指定した表示項目を表示させる再生機能である。
【発明の効果】
【００１０】
以上のように本発明によれば、動画再生基板の機能向上により、動画再生中においてもスタンバイしている素材を確認することのできる映像再生機及び送出システムを実現するとともに、スタンバイ映像出力時は素材情報をスーパ表示することでより分かりやすい確認が可能であることに加え、スタンバイ画像やスーパ表示項目の指定を可能とすることで、柔軟な対応が可能となる。さらに、従来のようなスタンバイ用の基板や映像スーパ装置を設備する必要がないため、システムの設備負担を軽減できる。
【００１１】
また、再生スタンバイ時に用としてスタンバイ画像を指定でき、スタンバイ確認が容易になる。
【００１２】
さらに、スタンバイ時のスーパ表示項目を指定でき、マスタシステム側で表示されているオンエア素材リストと照らし合わせることで、スタンバイ確認が確認が容易になる。
【発明を実施するための最良の形態】
【００１３】
本発明は、動画再生基板に再生映像出力ポートの再生ポートの他にスタンバイ映像を表示するためのポートのスタンバイポートを追加することにより、動画再生を行いながら次にスタンバイしている素材の確認をできるようにするものであり、本発明を適用した送出システムの形態は、図２の本発明の１実施例の送出システムの構成を示すブロック図に示す通り、１枚の動画再生基板５から再生ポートの映像とスタンバイポートの映像が出力されており、図３の従来の送出システムの構成を示すブロック図では再生ポートの動画再生基板６とスタンバイポートの動画再生基板７を設備していた部分を１枚の動画再生基板５で実現するものとし、従来外部の映像スーパ装置で行っていた素材情報のスーパ機能も動画再生基板５内部の画像処理で行う。詳細は次に示す通りである。
【００１４】
従来方式の再生ポートの動画再生基板６とスタンバイポートの動画再生基板７は、素材が蓄積されたメモリからデータを読込み、多重化されているデータを分割し、映像データ・音声データなどの各種データを伸張し、必要な画像処理・音声処理を行い、データを多重化し、外部同期信号に合わせてベースバンド信号に変換して出力している。素材の連続再生を行うためには再生中に次の再生素材をスタンバイする必要があるため、スタンバイ用にデータ読込みから多重化処理までのブロックを持ち、再生している最中にスタンバイ用のブロックで次の素材をスタンバイし、次の素材の再生開始時刻にスタンバイしていたデータを再生するという動作を繰返すことで連続再生を実現している。しかし、再生ポートの動画再生基板６から出力される映像は再生中の映像が優先されるため、再生中にはスタンバイ中の素材の映像を出力することはできず、連続再生時にスタンバイ映像を確認したいという要求には対応できなかった。
【００１５】
本発明方式の動画再生基板５は、基本ロジックは従来方式と同じように再生系とスタンバイ系のデコードプロセスを持っており、この動画再生基板５の出力ポートにスタンバイ映像出力用のポートのスタンバイポートを追加し、このスタンバイポートにスタンバイしている素材の再生開始位置の静止画像を出力する。これにより、再生側の出力ポートで再生している最中にもスタンバイ側で次の素材をスタンバイして再生開始位置の静止画像をスタンバイポートから出力し、当該素材の再生開始時刻にスタンバイしていたデータを再生ポートから出力するという動作を繰返すことで連続再生の実現とともに、連続再生時にもスタンバイ状況を確認できるようにする。スタンバイポートはスタンバイしている再生開始位置の静止画のみを出力するものとし、動画再生基板５に余計な負荷を与えないように考慮する。この動画再生基板５を用いた動画再生機を使用することで、必要最小限の設備で、動画再生中においても次にスタンバイしている素材の確認を可能とする送出システムを実現する。図１の本発明の１実施例のスタンバイ画像を指定した場合の再生時の動作を示す模式図に本発明を用いた連続素材再生シーケンスを示す。
【００１６】
また、スタンバイ側のデコード処理の画像処理工程にて、素材コードなどのデコード素材情報のスーパ画像を付加することで、外部スーパ装置なしに、素材情報のスーパ表示付スタンバイ静止画の出力を可能とする。
【００１７】
さらに先述の動画再生機を用いた送出システムにおいては、スタンバイ状況確認の容易性を向上するための以下の機能を実現する。
【００１８】
第一にスタンバイ画像の指定機能である。ファイリング・プレビュー時に素材を代表する画面や搬入素材に含まれている素材のメタデータを表示したクレジット画像をスタンバイ確認画像として予め指定しておき、再生スタンバイ時にスタンバイ確認用としてこの画像を表示させるものである。スタンバイ画像の指定はフレーム単位で指定可能とする。この機能の使用例として、ＣＭ送出や番組素材の流しオンエア時などにクレジット画像をスタンバイ画像として設定しておく例が挙げられ、スタンバイ時に素材内容を一目で判断できる画像を表示することで、容易に確認可能とする。
【００１９】
二つ目はスタンバイ時のスーパ表示項目の指定機能である。ファイリング・プレビュー時にスーパ表示項目を指定しておき、再生スタンバイ時に指定項目を表示させるものである。表示項目としては、スポンサー名や素材名、営放システムとやり取りしたメモデータ、ＣＭ送出時にはＣＭ放送枠ＩＤなどが考えられ、マスタシステム側で表示されているオンエア素材リストと照らし合わせることで、容易な確認を可能とする。
【図面の簡単な説明】
【００２０】
【図１】本発明の１実施例のスタンバイ画像を指定した場合の再生時の動作を示す模式図
【図２】本発明の１実施例の送出システムの構成を示すブロック図
【図３】従来の送出システムの構成を示すブロック図
【符号の説明】
【００２１】
１：スタンバイ映像スーパ機能付映像再生機、２：映像スイッチャ、
３，４：映像モニタ、５，６，７：動画再生基板、８：映像再生機
９：映像スーパ装置
【図１】
2009055255.tif 000003
【図２】
2009055255.tif 000004
【図３】
2009055255.tif 000005